(57)【要約】【課題】梯子を昇降しようとする者を銃撃から守るための弾よけ部材を具備して、銃撃に対する安全性の向上を図る。【解決手段】車体１に起伏自在に枢着された主梯子３と、主梯子３に沿って摺動自在に取り付けられ、その先端側に突出可能な副梯子１０と、副梯子１０の先端部に枢着された先端梯子４０と、主梯子３に起伏自在に取り付けられた板状の弾よけ部材５０とを備える。板状の弾よけ部材５０を起立方向に付勢するストッパー付きガスダンパー６０を設けて操作力を軽減している。【選択図】図１
2020003118.tif 000002
【特許請求の範囲】
【請求項１】
車体に対して起伏自在に枢着された主梯子と、
前記主梯子に沿って摺動自在に取り付けられ、前記主梯子の先端側に突出可能な副梯子と、
前記副梯子の先端部に枢着された先端梯子と、
前記主梯子に起伏自在に取り付けられた弾よけ部材と、を備えることを特徴とする梯子車。
【請求項２】
前記弾よけ部材を起立方向に付勢するガスダンパーが、前記弾よけ部材と前記主梯子のフレーム間に設けられている、請求項１に記載の梯子車。
【請求項３】
前記ガスダンパーがストッパー付きガスダンパーであり、前記弾よけ部材を起立状態でロック可能である、請求項１又は２に記載の梯子車。
【請求項４】
前記主梯子を回動させるチルトシリンダ及び前記副梯子を摺動させるスライド駆動シリンダを備え、さらに前記チルトシリンダ及び前記スライド駆動シリンダを遠隔操作するリモートコントローラを有する、請求項１乃至３のいずれか一項に記載の梯子車。
【請求項５】
車体に対して起伏自在に枢着された主梯子と、
前記主梯子に沿って摺動自在に取り付けられ、前記主梯子の先端側に突出可能な副梯子と、
前記副梯子の先端部に枢着された先端梯子と、
前記主梯子を回動させるチルトシリンダと、
前記副梯子を摺動させるスライド駆動シリンダと、
前記チルトシリンダ及び前記スライド駆動シリンダを遠隔操作するリモートコントローラと、を備えることを特徴とする梯子車。
【発明の詳細な説明】
【技術分野】
【０００１】
本発明は、車両に梯子を装備した梯子車に係り、とくに航空機や低層建造物等への人員の送り込み、あるいは待避等に適した、弾よけを有する梯子車に関する。
【背景技術】
【０００２】
従来から伸縮する梯子を有する梯子車は消火活動等に用いられている。この種の梯子車としては下記特許文献１がある。
【先行技術文献】
【特許文献】
【０００３】
【特許文献１】特開２０１７−２０９２３４号公報
【発明の概要】
【発明が解決しようとする課題】
【０００４】
ところで、従来の梯子車は複数段の梯子を伸ばすことが可能であるが、銃撃の恐れのある敵対者が梯子先端側の航空機や低層建造物等に居る場合の対策は取られていない。このため、梯子を登ろうとする救助者、支援者等が危険に晒されることになる。
【０００５】
本発明はこうした状況を認識してなされたものであり、その目的は、梯子を昇降しようとする者を銃撃から守るための弾よけ部材を具備して、銃撃に対する安全性の向上を図った梯子車を提供することにある。
【課題を解決するための手段】
【０００６】
本発明のある態様は梯子車である。この梯子車は、車体に対して起伏自在に枢着された主梯子と、
前記主梯子に沿って摺動自在に取り付けられ、前記主梯子の先端側に突出可能な副梯子と、
前記副梯子の先端部に枢着された先端梯子と、
前記主梯子に起伏自在に取り付けられた弾よけ部材と、を備えることを特徴とする。
【０００７】
前記弾よけ部材を起立方向に付勢するガスダンパーが、前記弾よけ部材と前記主梯子のフレーム間に設けられているとよい。
【０００８】
前記ガスダンパーがストッパー付きガスダンパーであり、前記弾よけ部材を起立状態でロック可能であるとよい。
【０００９】
前記主梯子を回動させるチルトシリンダ及び前記副梯子を摺動させるスライド駆動シリンダを備え、さらに前記チルトシリンダ及び前記スライド駆動シリンダを遠隔操作するリモートコントローラを有する構成であるとよい。
【００１０】
本発明の別の態様も梯子車である。この梯子車は、車体に対して起伏自在に枢着された主梯子と、
前記主梯子に沿って摺動自在に取り付けられ、前記主梯子の先端側に突出可能な副梯子と、
前記副梯子の先端部に枢着された先端梯子と、
前記主梯子を回動させるチルトシリンダと、
前記副梯子を摺動させるスライド駆動シリンダと、
前記チルトシリンダ及び前記スライド駆動シリンダを遠隔操作するリモートコントローラと、を備えることを特徴とする。
【００１１】
なお、以上の構成要素の任意の組合せ、本発明の表現を方法やシステムなどの間で変換したものもまた、本発明の態様として有効である。
【発明の効果】
【００１２】
本発明に係る梯子車によれば、梯子を昇降しようとする者を銃撃から守るための弾よけ部材を、梯子に対して起伏自在に設けることで、銃撃に対する安全性の向上を図ることができる。また、リモートコントローラを備える場合には、操作性の改善を図ることができる。
【図面の簡単な説明】
【００１３】
【図１】本発明に係る梯子車の実施の形態であって、梯子車走行時の状態を実線で示し、梯子車使用時の状態を仮想線で示す側面図。
【図２】実施の形態において、梯子車走行時の状態を実線で示し、梯子車使用時の状態を仮想線で示す平面図。
【図３】実施の形態において、主梯子及びこれに起伏自在に設けられた弾よけ部材を示す側面図。
【図４】同じく平面図。
【図５】実施の形態における弾よけ部材及びその周辺の機構を示す拡大側面図。
【図６】実施の形態におけるコード付きリモートコントローラの平面図。
【図７】実施の形態におけるワイヤレス・リモートコントローラの平面図。
【図８】実施の形態において、主梯子を回動させるチルトシリンダ及び副梯子を摺動させるスライド駆動シリンダを作動させるための油圧回路図。
【図９】実施の形態において、チルトシリンダ及びスライド駆動シリンダを作動させるためのリモートコントローラを用いる電気回路図。
【発明を実施するための形態】
【００１４】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１５】
図１乃至図５に示すように、車両１は直方体枠状の車体フレーム２を有し、車体フレーム２の上辺部２ａに一対（複数）の主梯子３の末端部がピン４で起伏自在に枢着され（回転自在に取り付けられ）ている。車体フレーム２の上辺部２ａの高さは運転席のあるキャビン５よりも高くなっている。主梯子３と車体フレーム２下部間にはチルトシリンダ６が設けられている。すなわち、チルトシリンダ６の本体部６ａはピン７で車体フレーム２下部に枢着され、チルトシリンダ６のピストンロッド６ｂの先端部は主梯子３にピン８で枢着されている。チルトシリンダ６は主梯子３が上辺部２ａと平行な状態から所定角度で起き上がった状態に主梯子３を駆動するものであり、チルトシリンダ６の縮動時は主梯子３と上辺部２ａとが平行になり、伸長時には主梯子３はピン４を支点として回動し、図１仮想線Ｐのように上辺部２ａに対し所定角度αで起き上がる。
【００１６】
車体フレーム２には、車体フレーム２の下部と上辺部２ａとの間の昇降のために階段９が固定されている。階段９の下端には、地上と階段９の下端間の昇降のために折り畳み式の階段９１が回転自在に連結されている。階段９１の不使用時には図１の実線のように階段９１は階段９に重ねられ、使用時には仮想線のように展開されて、階段９及び階段９１は車体フレーム２の上辺部２ａから地上に至る連続した階段として機能する。
【００１７】
各主梯子３には、副梯子１０が摺動自在に平行に設けられている。主梯子３と副梯子１０との間にはスライド駆動シリンダ１１が設けられている。すなわち、スライド駆動シリンダ１１の本体部１１ａはピン１２で主梯子３に枢着され、スライド駆動シリンダ１１のピストンロッド１１ｂの先端部はピン１３で副梯子１０に枢着されている。副梯子１０は、主梯子３に設けられたローラ（図示せず）で主梯子３の内側を円滑に摺動するように支持され、スライド駆動シリンダ１１の縮動時には副梯子１０は主梯子３の内側に格納されて突出せず、スライド駆動シリンダ１１の伸長時には図１仮想線Ｑのように主梯子３の先端側に突出（延在）する。
【００１８】
先端梯子４０はヒンジ４１を介して各副梯子１０にそれぞれ連結され、副梯子１０上に折り返されて重なった状態から、副梯子１０の先端側に水平に展開した状態（仮想線Ｒ）に手動で回動可能である。
【００１９】
図３乃至図５に示すように、主梯子３の末端側に板状の弾よけ部材５０の末端部が起伏自在（回転自在）に枢着されている。つまり主梯子３のフレーム３ａの末端側角パイプ３ｂの内側にヒンジ５１を介して弾よけ部材５０の末端が取り付けられている。また、弾よけ部材５０の長さ方向中間部とフレーム３ａの側面下部間に、弾よけ部材５０を起立方向に付勢するストッパー付きガスダンパー６０が設けられている。つまり、ガスダンパー６０の下端はフレーム３ａにピン６５で枢着され、他端はピン６６で弾よけ部材５０の中間部側面に枢着されている。ストッパー付きガスダンパー６０は弾よけ部材５０を任意の起立状態でワンタッチでロック可能（また、ワンタッチでロック解除可能）な市販品である。弾よけ部材５０には手動で起立させるためのグリップ５２が設けられている。
【００２０】
板状の弾よけ部材５０は、伏せた状態では主梯子３と平行で、そのフレーム３ａの内側に収まっている。このとき、弾よけ部材５０を起立させる方向に作用するガスダンパー６０の分力は小さいため、弾よけ部材５０は伏せた状態で安定している。グリップ５２を握って手動で弾よけ部材５０を起立させて行くと、弾よけ部材５０を起立させる方向に作用するガスダンパー６０の分力は徐々に大きくなり、最後は図３の仮想線Ｓのようにガスダンパー６０が伸びきった起立位置で自立する。ガスダンパー６０のストッパ機能を利用することで、任意の起立角度で弾よけ部材５０をロック可能である。
【００２１】
板弾よけ部材５０は、例えば金属板とその他の防弾性のある板の貼り合わせ構造等である。
【００２２】
以上の実施の形態の構成において、梯子車の走行時にはチルトシリンダ６を縮動させ、各主梯子３は車体フレーム２の上辺部２ａと平行な伏せた状態にする。また、スライド駆動シリンダ１１を縮動させておくことで副梯子１０を主梯子３内に引き込まれた状態とする。また、先端梯子４０は裏返し状態で副梯子１０上に重ねておく。
【００２３】
梯子車の使用時には、まず、先端梯子４０を副梯子１０の先端側に展開する。次に、チルトシリンダ６を伸長させ、各主梯子３を車体フレーム２の上辺部２ａから所定の仰角で起き上がった状態にする。航空機や低層建造物等への人員の送り込み、あるいは待避する目標高さに応じて仰角αを調整する。そして、スライド駆動シリンダ１１を伸長させて主梯子３先端側から副梯子１０を突出させ延ばす。チルトシリンダ６や、スライド駆動シリンダ１１の長さ調整により、先端梯子４０の先端位置を任意に調整できる。
【００２４】
これにより、階段９、主梯子３、副梯子１０及び先端梯子４０の経路で航空機や建造物に人員を送り込んだり、逆の経路で人員を避難させたりすることが可能である。
【００２５】
また、銃撃の危険性があるときは、板状の弾よけ部材５０を手動で起立させておき、弾よけ部材５０の背後に人員を退避させることができる。
【００２６】
以上は梯子車の機構的な動作説明であるが、以下にリモートコントローラを用いる場合の主梯子３を回動させるチルトシリンダ６及び副梯子１０を摺動させるスライド駆動シリンダ１１の動作説明を行う。ここでは、チルトシリンダ６及びスライド駆動シリンダ１１は油圧シリンダであるものとする。
【００２７】
図６は実施の形態におけるコード付きリモートコントローラ２０の平面図、図７はワイヤレス・リモートコントローラ３０の平面図、図８は主梯子３を回動させるチルトシリンダ６及び副梯子１０を摺動させるスライド駆動シリンダ１１を作動させるための油圧回路図、図９はチルトシリンダ６及びスライド駆動シリンダ１１を作動させるためのリモートコントローラを用いる電気回路図である。
【００２８】
図６のコード付きリモートコントローラ２０は、車両１の左側の主梯子３及び副梯子１０を操作する左側「上」、「下」、「伸」、「縮」押しボタンを有するとともに、車両１の右側の主梯子３及び副梯子１０を操作する右側「上」、「下」、「伸」、「縮」押しボタンを有する。コード付きリモートコントローラ２０は接続コード２１を介して図８の油圧回路中の電磁弁を制御する図９の電気回路に接続されている。
【００２９】
図７のワイヤレス・リモートコントローラ３０は、車両１の左側の主梯子３及び副梯子１０を操作する左側「上」、「下」、「伸」、「縮」押しボタンを有するとともに、車両１の右側の主梯子３及び副梯子１０を操作する右側「上」、「下」、「伸」、「縮」押しボタンを有する。ワイヤレス・リモートコントローラ３０は無線（電波）で図９の電気回路中の受信機７０に結合しており、ワイヤレス・リモートコントローラ３０の特定の押しボタンを押すと、受信機７０の対応する接点が閉じるようになっている。例えば、左側「上」の押しボタンを押したときは、受信機７０の（左）上出力スイッチが閉じ、左側「下」の押しボタンを押したときは、受信機７０の（左）下出力スイッチが閉じ、左側「伸」の押しボタンを押したときは、受信機７０の（左）伸出力スイッチが閉じ、左側「縮」の押しボタンを押したときは、受信機７０の（左）縮出力スイッチが閉じる。同様に、右側「上」の押しボタンを押したときは、受信機７０の（右）上出力スイッチが閉じ、右側「下」の押しボタンを押したときは、受信機７０の（右）下出力スイッチが閉じ、右側「伸」の押しボタンを押したときは、受信機７０の（右）伸出力スイッチが閉じ、右側「縮」の押しボタンを押したときは、受信機７０の（右）縮出力スイッチが閉じる。
【００３０】
図８の油圧回路は、左側主梯子３を回動させるチルトシリンダ６及び左側副梯子１０を摺動させるスライド駆動シリンダ１１を作動させる油圧回路部８０Ｌと、右側主梯子３を回動させるチルトシリンダ６及び右側副梯子１０を摺動させるスライド駆動シリンダ１１を作動させる油圧回路部８０Ｒとを備える。油圧回路部８０Ｌと油圧回路部８０Ｒは同じ構成であり、パワーユニット（エンジン駆動）の作動油供給ポートＰから作動油の供給を受けるようになっている。
【００３１】
左側主梯子３を回動させるチルトシリンダ６の上下駆動の切り換えのために電磁切換弁８１が、左側副梯子１０を摺動させるスライド駆動シリンダ１１の伸縮の切り換えのために電磁切換弁８２がそれぞれ設けられている。同様に、右側主梯子３を回動させるチルトシリンダ６の上下駆動の切り換えのために電磁切換弁８３が、右側副梯子１０を摺動させるスライド駆動シリンダ１１の伸縮の切り換えのために電磁切換弁８４がそれぞれ設けられている。電磁切換弁８１〜８４は非励磁状態では停止状態となり、直前の状態を保持する。
【００３２】
図９はコード付きリモートコントローラ２０又はワイヤレス・リモートコントローラ３０の押しボタン操作に対応させて、梯子車のバッテリーＢＴの電圧を、左右のチルトシリンダ６及び左右のスライド駆動シリンダ１１の上下及び伸縮の切り換えを行う電磁切換弁８１，８２，８３，８４のソレノイド８１ａ又は８１ｂ，８２ａ又は８２ｂ，８３ａ又は８３ｂ，８４ａ又は８４ｂに選択的に印加して励磁する回路構成となっている。
【００３３】
例えば、図６のコード付きリモートコントローラ２０の左側の「上」の押しボタンを押せば、図９の電気回路で電磁切換弁８１のソレノイド８１ａが励磁され、油圧回路部８０Ｌのチルトシリンダ６が伸長するように作動油が供給される。この結果、左側主梯子３は起立方向に回動する。
【００３４】
コード付きリモートコントローラ２０の左側の「下」の押しボタンを押せば、電磁切換弁８１のソレノイド８１ｂが励磁され、油圧回路部８０Ｌのチルトシリンダ６が縮動するように作動油が供給される。この結果、左側主梯子３は水平に伏せる方向に回動する。
コード付きリモートコントローラ２０の左側の「伸」の押しボタンを押せば、電磁切換弁８２のソレノイド８２ａが励磁され、油圧回路部８０Ｌのスライド駆動シリンダ１１が伸長するように作動油が供給される。この結果、副梯子１０は突出方向にスライド駆動される。
【００３５】
コード付きリモートコントローラ２０の左側の「縮」の押しボタンを押せば、電磁切換弁８２のソレノイド８２ｂが励磁され、油圧回路部８０Ｌのスライド駆動シリンダ１１が縮動するように作動油が供給される。この結果、副梯子１０は引き込み方向にスライド駆動される。
【００３６】
右側の「上」、「下」、「伸」、「縮」押しボタンを押した場合も、電磁切換弁８３，８４のソレノイド８３ａ又は８３ｂ，８４ａ又は８４ｂを選択的に励磁することで、同様にチルトシリンダ６及びスライド駆動シリンダ１１を介して右側の主梯子３及び副梯子１０を作動させることができる。
【００３７】
図７のワイヤレス・リモートコントローラ３０の押しボタンを操作した場合も、図９の回路図中の受信機７０（コード付きリモートコントローラ２０と同じ接点構成を有する）の対応する接点が閉じ、コード付きリモートコントローラ２０を操作した場合と同様の効果が得られる。
【００３８】
例えば、図７のワイヤレス・リモートコントローラ３０の左側の「上」の押しボタンを押せば、図９の電気回路中の受信機７０の受信機７０の（左）上出力スイッチが閉じて電磁切換弁８１のソレノイド８１ａが励磁され、油圧回路部８０Ｌのチルトシリンダ６が伸長するように作動油が供給される。この結果、左側主梯子３は起立方向に回動する。ワイヤレス・リモートコントローラ３０におけるその他の押しボタン操作の場合もコード付きリモートコントローラ２０の場合と同様になる。
【００３９】
本実施の形態によれば、下記の効果を奏することができる。
【００４０】
(1) 車体フレーム２に対して起伏自在に枢着された主梯子３と、主梯子３に沿って摺動自在に取り付けられて主梯子３の先端側に突出可能な副梯子１０と、副梯子１０の先端部に枢着された先端梯子４０とを備える構成において、板状の弾よけ部材５０を主梯子３に起伏自在に設けたことで、梯子３，１０，４０を昇降しようとする者を銃撃から守り、銃撃に対する安全性の向上を図ることができる。
【００４１】
(2) 板状の弾よけ部材５０を起立方向に付勢するストッパー付きガスダンパー６０が、弾よけ部材５０と主梯子３のフレーム３ａ間に設けられているため、弾よけ部材５０を手動で起立させる際の操作力を軽減可能である。また、ストッパー付きガスダンパー６０を用いることで、弾よけ部材５０の任意の起立角度でストッパー付きガスダンパー６０をロックでき（ロック解除も任意位置で可能）、操作性も良い。
【００４２】
(3) コード付きリモートコントローラ２０又はワイヤレス・リモートコントローラ３０を用いることで、主梯子３や副梯子１０の遠隔操作が可能であり、作業性、操作性の改善を図ることができる。
【００４３】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４４】
上記実施の形態において、各チルトシリンダ６や、スライド駆動シリンダ１１は油圧シリンダであっても、電動シリンダであってもよい。
【００４５】
先端梯子４０の回動を手動で行う代わりに、油圧シリンダや電動シリンダで行うようにしてもよい。
【００４６】
主梯子３に対する弾よけ部材５０の取り付け位置は、主梯子３の末端部（基部）に限定されず、先端側や中間位置等でもよく、複数箇所に設置することも可能である。
【符号の説明】
【００４７】
１  車両
２  車体フレーム
３  主梯子
５  キャビン
６  チルトシリンダ
１０  副梯子
１１  スライド駆動シリンダ
２０  コード付きリモートコントローラ
３０  ワイヤレス・リモートコントローラ
４０  先端梯子
５０  弾よけ部材
６０  ストッパー付きガスダンパー
【図１】
2020003118.tif 000003
【図２】
2020003118.tif 000004
【図３】
2020003118.tif 000005
【図４】
2020003118.tif 000006
【図５】
2020003118.tif 000007
【図６】
2020003118.tif 000008
【図７】
2020003118.tif 000009
【図８】
2020003118.tif 000010
【図９】
2020003118.tif 000011